(57)【要約】【課題】デザインの自由度が広がり、容易に取り付けることができるタオル掛けを提供する。【解決手段】本発明のタオル掛け１は、壁面Ｗに固定される一対のブラケット１０Ａ、１０Ｂと、バー２０とを有している。各ブラケット１０Ａ、１０Ｂは、管状のブラケット本体１１と取付部１２とを有している。各ブラケット本体１１の側面には、バー２０の端部を挿通して支持する支持孔１４が貫設されている。各取付部１２には、ビス３０を挿通して係止する係止孔１５が貫設されている。バー２０は、壁面Ｗに固定された一方のブラケット１０Ａの支持孔１４に一端部が挿通され、支持孔１４に対面する内側面１１Ａに先端面が当接された状態で、壁面Ｗに固定された他方のブラケット１０Ｂの支持孔１４に他端部が支持される。他端部の先端面と他方のブラケット本体１０Ｂの内側面１１Ａとの間の空隙Ｓを通して、ビス３０を壁面Ｗに対してねじ込むことができる。【選択図】図４
2010119439.tif 000002
【特許請求の範囲】
【請求項１】
壁面に固定される一対のブラケットと、両端部が各ブラケットに支持されるバーとを有するタオル掛けにおいて、
前記各ブラケットは、前記壁面に固定された際に壁面から遠ざかる方向に延びる管状のブラケット本体と、ブラケット本体の内部であって壁面側に位置する端部に設けられた取付部とを有し、
前記各ブラケット本体の側面には、前記バーの端部を挿通して支持する支持孔が貫設され、
前記各取付部には、前記各ブラケット本体の先端開口から各ブラケット本体の内部に挿入された固定金具を挿通して係止する係止孔が貫設され、
前記バーは、前記壁面に固定された一方の前記ブラケットの支持孔に一端部が挿通され、支持孔に対面する前記ブラケット本体の内側面に先端面が当接された状態で、一方のブラケットに対して設定間隔を有して壁面に固定された他方のブラケットの支持孔に他端部が支持され、かつ、他端部の先端面と他方のブラケット本体の内側面との間の空隙を通して、他方のブラケット本体の先端開口から前記係止孔に挿通された前記固定金具を前記壁面に対して結合及び分離可能であることを特徴とするタオル掛け。
【請求項２】
前記バーの長さは、前記各ブラケットが設定間隔を有して前記壁面に固定された状態において、一方のブラケットの前記支持孔に対面する前記ブラケット本体の内側面と、他方のブラケットの支持孔の周縁の外側面との間隔より長く、かつ、一方のブラケットの支持孔に対面するブラケット本体の内側面と、他方のブラケットを壁面に固定した固定金具の支持孔側の側面からブラケット本体の内側面に沿って延びる仮想面との間隔より短いことを特徴とする請求項１記載のタオル掛け。
【請求項３】
前記バーの両端部には係合部が設けられ、係合部に係合し、各支持孔の周縁の内側面に当接するストッパーを有していることを特徴とする請求項１又は２記載のタオル掛け。
【請求項４】
請求項１又は２記載のタオル掛けの取付方法であって、
一方の前記ブラケット本体の先端開口からブラケット本体の内部に挿入した前記固定金具を前記係止孔に挿通して前記壁面に結合しつつ、係止孔に係止すると共に、前記支持孔を前記バーを支持すべく水平方向に向けて一方のブラケットを壁面に固定する第１工程と、
前記第１工程で前記壁面に固定された一方の前記ブラケットの支持孔に前記バーの一端部を挿通すると共に、他方のブラケットの支持孔にバーの他端部を挿通し、一方のブラケットに対して設定間隔を有するように他方のブラケットを壁面に対して位置決めする第２工程と、
一方の前記ブラケットの支持孔に対面する前記ブラケット本体の内側面にバーの一端部の先端面を当接させてバーを一方のブラケット側に移動させることにより、バーの他端部の先端面と他方の前記ブラケット本体の内側面との間に空隙を形成し、前記係止孔に挿通された前記固定金具を先端開口から空隙を通して前記壁面に結合させつつ、係止孔に係止させることにより、他方のブラケットを壁面に固定する第３工程とを有することを特徴とするタオル掛けの取付方法。
【請求項５】
前記第３工程後に前記各ブラケットの前記支持孔の周縁の内側面に当接するストッパーを前記各ブラケット本体の先端開口からブラケット本体の内部に挿入し、前記バーの両端部に設けられた各係合部に係合させる第４工程を有することを特徴とする請求項４記載のタオル掛けの取付方法。
【発明の詳細な説明】
【技術分野】
【０００１】
本発明はタオル掛け及びその取付方法に関する。
【背景技術】
【０００２】
特許文献１には、従来のタオル掛けが開示されている。このタオル掛けは、壁面に固定される一対のブラケットと、両端部が各ブラケットに支持されるバーとを有している。各ブラケットは、壁面に固定された際に壁面から遠ざかる方向に延びる管状のブラケット本体と、ブラケット本体の内部であって壁面側に位置する端部に設けられた取付部とを有している。ブラケット本体の側面には、バーを挿通し、支持する支持孔が貫設されている。取付部には、ブラケット本体の先端開口から内部に挿入されたボルト等を挿通し、係止する係止孔が貫設されている。バーの両端部には、先端面を二分割し、軸方向に延びる切欠き部が設けられている。このタオル掛けの壁面への取付方法は、先ず、バーの両端部を各ブラケットの支持孔に挿通する。そして、ブラケット本体の先端開口から取付部の係止孔まで連通するように切欠き部が所定の向きになるようにバーを回転させる。その後、ブラケット本体の先端開口からボルト等をブラケット本体内に挿入する。ボルト等を係止孔に挿入して壁面にねじ込みつつ、係止孔に係止させる。これにより各ブラケットが壁面に固定され、タオル掛けが壁面に取り付けられる。このように、タオル掛けを壁面に容易に取り付けることができる。
【０００３】
【特許文献１】特開２００２−３４８２３号公報
【発明の開示】
【発明が解決しようとする課題】
【０００４】
しかし、従来のタオル掛けでは、バーの両端に切欠き部を設けなければならないため、製造の手間を要する。また、バーが細いものでは切欠き部を設け難く、バーを太いものしなければならない。バーを支持孔に挿入して支持するブラケットは、バーの太さよりも大きくなければならないため、タオル掛け全体が大型になる等、デザインの制約になってしまう。
【０００５】
本発明は、上記従来の実情に鑑みてなされたものであって、デザインの自由度が広がり、容易に取り付けることができるタオル掛けを提供することを解決すべき課題としている。
【課題を解決するための手段】
【０００６】
本発明のタオル掛けは、壁面に固定される一対のブラケットと、両端部が各ブラケットに支持されるバーとを有するタオル掛けにおいて、
前記各ブラケットは、前記壁面に固定された際に壁面から遠ざかる方向に延びる管状のブラケット本体と、ブラケット本体の内部であって壁面側に位置する端部に設けられた取付部とを有し、
前記各ブラケット本体の側面には、前記バーの端部を挿通して支持する支持孔が貫設され、
前記各取付部には、前記各ブラケット本体の先端開口から各ブラケット本体の内部に挿入された固定金具を挿通して係止する係止孔が貫設され、
前記バーは、前記壁面に固定された一方の前記ブラケットの支持孔に一端部が挿通され、支持孔に対面する前記ブラケット本体の内側面に先端面が当接された状態で、一方のブラケットに対して設定間隔を有して壁面に固定された他方のブラケットの支持孔に他端部が支持され、かつ、他端部の先端面と他方のブラケット本体の内側面との間の空隙を通して、他方のブラケット本体の先端開口から前記係止孔に挿通された前記固定金具を前記壁面に対して結合及び分離可能であることを特徴とする。
【０００７】
このタオル掛けでは、バーの両端部に切欠き部等を設ける必要がないため、バーが簡易な形態となり、容易に製造することができる。また、バーを細くすることもできる。これにより、バーを支持孔に挿入して支持する各ブラケットも小型にすることができる。このため、デザインの制約を少なくすることができる。
【０００８】
したがって、本発明のタオル掛けは、デザインの自由度を広げることができる。
【０００９】
前記バーの長さは、前記各ブラケットが設定間隔を有して前記壁面に固定された状態において、一方のブラケットの前記支持孔に対面する前記ブラケット本体の内側面と、他方のブラケットの支持孔の周縁の外側面との間隔より長く、かつ、一方のブラケットの支持孔に対面するブラケット本体の内側面と、他方のブラケットを壁面に固定した固定金具の支持孔側の側面からブラケット本体の内側面に沿って延びる仮想面との間隔より短くし得る。この場合、バーの長さをこの範囲内にすることにより、各ブラケットにバーが確実に支持され、各ブラケットを壁面に固定することができる。このように、バーの長さを管理すればよいため、バーを容易に製造することができる。
【００１０】
前記バーの両端部には係合部が設けられ、係合部に係合し、各支持孔の周縁の内側面に当接するストッパーを有し得る。この場合、タオル掛けの使用に際し、バーが軸方向に移動しないため、バーに掛けられたタオルがどちらか一方のブラケット側に寄ってしまうことを防止することができる。このため、使い勝手の良いタオル掛けを提供することができる。
【００１１】
本発明のタオル掛けの取付方法は、請求項１又は２記載のタオル掛けの取付方法であって、
一方の前記ブラケット本体の先端開口からブラケット本体の内部に挿入した前記固定金具を前記係止孔に挿通して前記壁面に結合しつつ、係止孔に係止すると共に、前記支持孔を前記バーを支持すべく水平方向に向けて一方のブラケットを壁面に固定する第１工程と、
前記第１工程で前記壁面に固定された一方の前記ブラケットの支持孔に前記バーの一端部を挿通すると共に、他方のブラケットの支持孔にバーの他端部を挿通し、一方のブラケットに対して設定間隔を有するように他方のブラケットを壁面に対して位置決めする第２工程と、
一方の前記ブラケットの支持孔に対面する前記ブラケット本体の内側面にバーの一端部の先端面を当接させてバーを一方のブラケット側に移動させることにより、バーの他端部の先端面と他方の前記ブラケット本体の内側面との間に空隙を形成し、前記係止孔に挿通された前記固定金具を先端開口から空隙を通して前記壁面に結合させつつ、係止孔に係止させることにより、他方のブラケットを壁面に固定する第３工程とを有することを特徴とする。
【００１２】
本発明のタオル掛けの取付方法では、壁面に固定された一方のブラケットに対して、設定間隔を有して他方のブラケットを位置決めされた後、他方のブラケットを壁面に固定する際に、バーの両端部は各ブラケットに確実に支持され、支持孔から抜け落ちてしまわない。このため、取付作業者は、バーを直接、保持せず、他方のブラケットを一方の手で押さえ、他方の手で固定金具を壁面に結合させることができる。
【００１３】
したがって、本発明のタオル掛けは壁面に容易に取り付けることができる。
【００１４】
前記第３工程後に前記各ブラケットの前記支持孔の周縁の内側面に当接するストッパーを前記各ブラケット本体の先端開口からブラケット本体の内部に挿入し、前記バーの両端部に設けられた各係合部に係合させる第４工程を有し得る。この場合、各ブラケットに対して、バーが軸方向に移動しないようにすることが容易にできる。
【発明を実施するための最良の形態】
【００１５】
以下、本発明のタオル掛けを具体化した実施例１及び２を図面を参照しつつ説明する。
【実施例１】
【００１６】
実施例１のタオル掛け１は、図１に示すように、浴槽Ｂを備えた浴室の壁面Ｗに取り付けられる。浴室の壁面には、その他にシャンプー等のボトルを保持するボトルトレー２、鏡３、棚４及びシャワーヘッドが連結された水洗金具５が取り付けられている。
【００１７】
ボトルトレー２は、壁面Ｗに後面が固定される平板状の固定部２Ａと、固定部２Ａの前面下部から前方に突出する平板上の載置部２Ｂと、固定部３の上端面に形成された一対のコ字状の孔２Ｄに両端部が挿入され、ボトルの首部を係止する係止部２Ｃとから構成されている。
【００１８】
載置部２Ｂの上面は、前後方向に延びる複数の凸条が形成されている。ボトルの底面が接触する凸条の各上面は水平面に形成され、凸条間に形成された凹部の各底面は、水が前方に流れ落ちるように前方に向けて下方に傾斜する傾斜面に形成されている。
【００１９】
係止部２Ｃは、１本の針金により形成されている。係止部２Ｃの両端部は、一対のコ字状の孔２Ｄの夫々に挿入され、上下方向に延びている。係止部２Ｃは、上下方向に延びた両端部の上端から前方に屈曲され半円弧状の中間部を有している。中間部は、載置部２Ｂに載置されたボトルの首部に掛けられ、ボトルを保持する。係止部２Ｃは弾性力を有し、両端部が左右方向に広がる力が備えられている。このため、係止部２Ｃの両端部を各孔２Ｄに挿入すると、各孔２Ｄの外側内面に両端部が押し付けられるため、係止部２Ｃは下方にずり落ちない。よって、ボトルの大きさにより、上下方向に係止部２Ｃを移動させ、係止部２Ｃの中間部の高さを固定することができる。また、係止部２Ｃの両端部が挿入される孔が、コ字状であるため、ボトルの大きさにより、挿入位置を前後に移動させることにより、係止部２Ｃの中間部をボトルの首部に適切に掛けることができる。
【００２０】
タオル掛け１は、壁面Ｗに固定される一対のブラケット１０と、両端部が各ブラケット１０に支持されるバー２０とを有している。ブラケット１０は、図２〜図４に示すように、壁面Ｗに固定された際に壁面Ｗから遠ざかる方向に延びる四角管状のブラケット本体１１と、ブラケット本体１１の壁面Ｗ側に位置する端部から内側に連続して設けられた取付部１２とを有している。ブラケット本体１１の先端開口１３は、キャップ４０が嵌められ、閉鎖される。
【００２１】
ブラケット本体１１の側面には、バー２０の端部を挿通して支持する円形の支持孔１４が貫設されている。取付部１２には、ブラケット本体１１の先端開口１３から内部に挿入されたビス（固定金具）３０を挿通してビスの頭部が係止する係止孔１５が貫設されている。ビス３０は壁面Ｗに埋め込まれたプラグ材５０にねじ込まれ結合される。また、タオル掛け１を取り外す際には、ビス３０は壁面Ｗから取り外し分離することもできる。
【００２２】
バー２０は円管状に形成されている。バー２０の両端部の外周面には、軸に向けて凹ませた係合部２１が一周に亘って設けられている。係合部２１には、Ｃ字状のストッパー６０が係合される。
【００２３】
バー２０の長さＬは、図４（Ｂ）に示すように、各ブラケット１０Ａ、１０Ｂが設定間隔を有して壁面Ｗに固定された状態において、一方のブラケット１０Ａの支持孔１４に対面するブラケット本体１１の内側面１１Ａと、他方のブラケット１０Ｂの支持孔１４の周縁の外側面１１Ｂとの間隔Ｌ１より長い。また、バー２０の長さＬは、一方のブラケット１０Ａの支持孔１４に対面するブラケット本体１１の内側面１１Ａと、他方のブラケット１０Ｂを壁面Ｗに固定したビス３０の支持孔１４側の側面３０Ｘからブラケット本体１１の支持孔１４が貫設された内側面１１Ａに沿って延びる仮想面Ｖとの間隔Ｌ２より短い。
【００２４】
このように構成されたタオル掛け１は、次のように壁面Ｗに組み付けられる。
【００２５】
先ず、図４（Ａ）に示すように、一方のブラケット本体１１の先端開口１３から内部に挿入したビス３０を係止孔１５に挿通して壁面Ｗにねじ込み結合する。その際、支持孔１４をバー２０を支持すべく水平方向に向け、ビス３０の頭部が係止孔１５に係止するまでねじ込む。このようにして、一方のブラケット１０Ａを壁面Ｗに固定する≪第１工程≫。
【００２６】
次に、壁面Ｗに固定された一方のブラケット１０Ａの支持孔１４にバー２０の一端部を挿通する。また、バー２０の他端部を壁面Ｗに固定されていない他方のブラケット１０Ｂの支持孔１４に挿通する。この状態で、他方のブラケット１０Ｂを一方のブラケット１０Ａに対して設定間隔を有するように壁面Ｗに対して位置決めをする≪第２工程≫。
【００２７】
バー２０の長さＬは、前述したように、各ブラケット１０Ａ、１０Ｂが設定間隔を有して壁面Ｗに固定された状態において、一方のブラケット１０Ａの支持孔１４に対面するブラケット本体１１の内側面１１Ａと、他方のブラケット１０Ｂの支持孔１４の周縁の外側面１１Ｂとの間隔Ｌ１より長い。このため、バー２０が壁面Ｗに固定された一方のブラケット１０Ａ側に最も移動した状態（一方のブラケット１０Ａの支持孔１４に対面するブラケット本体１１の内側面１１Ａにバー２０の先端面２０Ａが当接した状態）でも、一方のブラケット１０Ａに対して設定間隔を有して壁面に対して位置決めされた他方のブラケット１０Ｂの支持孔１４にバー２０の他端部は確実に支持される。よって、バー２０が各ブラケット１０Ａ、１０Ｂの支持孔１４から抜け落ちてしまうことがない。
【００２８】
次に、図４（Ｂ）に示すように、一方のブラケット１０Ａの支持孔１４に対面するブラケット本体１１の内側面１１Ａにバー２０の一端部の先端面２０Ａを当接させて、バー２０を一方のブラケット１０Ａ側に移動させる。これにより、バー２０の他端部の先端面２０Ｂと他方のブラケット本体１０Ｂの内壁面１１Ａとの間に空隙Ｓを形成する。
【００２９】
バー２０の長さＬは、前述したように、一方のブラケット１０Ａの支持孔１４に対面するブラケット本体１１の内側面１１Ａと、他方のブラケット１０Ｂを壁面Ｗに固定したビス３０の支持孔１４側の側面３０Ｘからブラケット本体１１の支持孔１４が貫設された内側面１１Ａに沿って延びる仮想面Ｖとの間隔Ｌ２より短い。このため、空隙Ｓを通して、他方のブラケット本体１０Ｂの先端開口から係止孔１５に挿通されたビス３０の頭部を視認することができる。よって、他方のブラケット本体１０Ｂの先端開口からビス３０を壁面Ｗに対してねじ込むことができる。このようにして、ビス３０の頭部が係止孔１５に係止するまでねじ込み、他方のブラケット１０Ｂを壁面Ｗに固定する≪第３工程≫。
【００３０】
この際、バー２０の両端部は各ブラケット１０Ａ、１０Ｂに確実に支持されており、支持孔１４から抜け落ちてしまわない。このため、取付作業者は、バー２０を直接、保持せず、他方のブラケットを一方の手で押さえ、他方の手でビスを壁面にねじ込むことができる。
【００３１】
したがって、実施例１のタオル掛け１は壁面Ｗに容易に取り付けることができる。
【００３２】
その後、図４（Ｃ）に示すように、バー２０の中央部が各ブラケット１０Ａ、１０Ｂ間に中央に位置するようにバー２０を他方のブラケット１０Ｂの方向に移動させる。この状態で、バー２０の両端に設けられた各係合部２１は、各ブラケット本体１１の内部に位置する。ストッパー６０を各ブラケット本体１１の先端開口からブラケット本体１１の内部に挿入し、各係合部２１に係合させる≪第４工程≫。
【００３３】
ストッパー６０を係合部２１に係合されると、各ブラケット１０Ａ、１０Ｂの支持孔１４の周縁の内側面１１Ａにストッパー６０の側面が当接する。これにより、バー２０はブラケット１０Ａ、１０Ｂに対し、軸方向に移動しないように固定される。よって、タオル掛け１の使用に際し、バー２０に掛けられたタオルがどちらか一方のブラケット１０Ａ、１０Ｂ側によってしまうことを防止することができるため、使い勝手のよいタオル掛け１を提供することができる。
【００３４】
各ブラケット１０Ａ、１０Ｂを壁面Ｗに固定した後、図１〜図３に示すように、各ブラケット本体１４の先端開口１３にはキャップ１４が嵌められる。
【００３５】
このようにして壁面Ｗに取り付けられたタオル掛け１は、バー２０の両端部に切欠き部等を設ける必要がないため、バー２０が簡易な形態となり、容易に製造することができる。また、バー２０を細くすることもできる。これにより、バー２０を支持孔１４に挿入して支持する各ブラケット１０Ａ、１０Ｂも小型にすることができる。このため、デザインの制約を少なくすることができる。
【００３６】
したがって、実施例１のタオル掛け１は、デザインの自由度を広げることができる。
【００３７】
また、前述したように、バー２０の長さＬをＬ１からＬ２の範囲にすることにより、各ブラケット１０Ａ、１０Ｂにバー２０が確実に支持され、各ブラケット１０Ａ、１０Ｂを壁面Ｗに固定することができる。このように、バー２０の長さを管理すればよく、バー２０を容易に製造することができる。
【実施例２】
【００３８】
実施例２のタオル掛けは、図５に示すように、バー２０及びストッパー６１の構成を上記実施例１とは異なる形状としたものである。その他の構成については、上記実施例１と同じであるため、同じ構成については、同一符号を付し、構造、作用及び効果の説明は省略する。
【００３９】
実施例２のバー２０の両端部の側面には、後述するストッパー６１が挿通される２つの係止孔２２が直線状に貫設されている。ストッパー６１は、円柱状の頭部６１Ａと、頭部６１Ａの同軸上に一体に形成された挿入部６１Ｂとを有している。挿入部６１Ｂの先端部は４分割されている。４分割された先端部の先端には、先端から後方に広がる被係合部６１Ｃが設けられている。
【００４０】
このように構成された実施例２のバー２０及びストッパー６１を有するタオル掛けは、第４工程において、ストッパー６１の軸部６１Ｂをバー２０に貫設された２つの係止孔２２に挿通する。すると、ストッパー６１の先端部が突き出た係止孔２２の周縁の外側面に被係合部６１Ｃが係合し、ストッパー６１が抜け止めされる。また、ストッパー６１の頭部６１Ａの側面が、各ブラケット１０Ａ、１０Ｂの支持孔１４の周縁の内側面１１Ａに当接する。このため、バー２０はブラケット１０Ａ、１０Ｂに対して、軸方向に移動しないように固定することができる。よって、タオル掛けの使用に際し、バー２０に掛けられたタオルがどちらか一方のブラケット１０Ａ、１０Ｂ側によってしまうことを防止することができるため、使い勝手のよいタオル掛けを提供することができる。
【００４１】
本発明は上記記述及び図面によって説明した実施例１及び２に限定されるものではなく、例えば次のような実施例も本発明の技術的範囲に含まれる。
（１）上記実施例１及び２では、ブラケット本体が四角管状であるが、多角管状や円管状等、管状であればよい。
（２）上記実施例１及び２では、ブラケット本体に取付部が連続して設けられているが、ブラケット本体と、取付部とを別体に形成した後、一体化してもよい。
（３）上記実施例１及び２では、バーが円管状であるが、空洞でなくとも棒状であればよい。また、外形は角柱状でもよい。
（４）上記実施例１及び２では、ストッパーを有しているが、ストッパーを有さなくてもよい。
（５）上記実施例１及び２では、ストッパーがブラケット本体の内部に配置され、内側面に当接するように設けられているが、ストッパーをブラケット本体の外部に配置し、外側面に当接させてもよい。
（６）上記実施例１及び２では、バーに係合部を設けてストッパーを係合させているが、バーに係合部を設けず、ゴム製のＯリング等をバーに外嵌し、ブラケット本体の内周面に当接させることにより、バーの軸方向の移動を防止してもよい。
（７）上記実施例１及び２では、ビスを利用してブラケットを壁面に固定したが、壁面にナットを埋め込んでおき、ボルトを利用して固定してもよい。
【図面の簡単な説明】
【００４２】
【図１】実施例１のタオル掛けが取り付けられる壁面を有する浴室を示す斜視図である。
【図２】実施例１のタオル掛けの要部を示す分解図である。
【図３】実施例１のタオル掛けの要部を示す断面図である。
【図４】実施例１のタオル掛けの取付方法を示す概略図である。
【図５】実施例２のタオル掛けの要部を示す斜視図である。
【符号の説明】
【００４３】
１…タオル掛け
１０Ａ、１０Ｂ…ブラケット
１１…ブラケット本体
１１Ａ…内側面
１２…取付部
１４…支持孔
１５…係止孔
２０…バー
２０Ａ、２０Ｂ…先端面
２１、２２…係合部
３０…ビス（固定金具）
６０、６１…ストッパー
Ｓ…空隙
Ｖ…仮想面
Ｗ…壁面
【図１】
2010119439.tif 000003
【図２】
2010119439.tif 000004
【図３】
2010119439.tif 000005
【図４】
2010119439.tif 000006
【図５】
2010119439.tif 000007